(57)【特許請求の範囲】
【請求項１】
裏面へ鏡を付設した蓋体であって、
該蓋体は合成樹脂製の蓋本体１と，
該蓋本体の裏面へ固着させた合成樹脂製の挟持部材11と、
該挟持部材間に挟持された鏡31とからなり、
蓋体裏返し状態において、蓋本体１は、頂板２外周から起立して大凹部４を囲成する周壁３の後壁部分3aに、上記大凹部へ前面を開口する後面閉塞の小凹部７を穿設して設け、
挟持部材11と鏡31とは、上記大凹部４の底面へ固着させて大凹部内へ嵌合させた台板12の前縁へ、可撓性ヒンジ13を介し枠板14を付設して形成した挟持部材11の上記台板と枠板とで台板上へ載置させた鏡31を挟持させて、
該挟持状態を保持可能に台板12外周部と枠板14外周部との各一部を係合させ、
更に枠板の後方枠部分14a から上記小凹部７内へ、枠板引き上げ用の摘み片16を突設し、
上記周壁後壁部分3aの左右方向中間部上面から、コンパクト容器本体の後壁に枢着させる枢着板５を起立すると共に、
該枢着板前面の左右方向中間部に前面および上面開放の凹み部5aを設け、上記小凹部７後端を上記凹み部5aの前面下端まで穿設したことを特徴とするコンパクト容器の鏡付き蓋体。
【発明の詳細な説明】
【０００１】
【発明の属する技術分野】
本発明は、コンパクト容器の鏡付き蓋体に関する。
【０００２】
【従来の技術】
通常化粧用コンパクト容器の蓋体裏面には、表裏両面へ接着剤を塗布した両面テープを用いて、鏡を貼付させている。
【０００３】
【発明が解決しようとする課題】
近時廃棄物の増大のため、廃棄物を材質毎に分別し、分別された資材を再利用することが重視されている。
【０００４】
化粧用コンパクト容器は、通常合成樹脂製の容器本体と蓋体とから形成されているが、その蓋体裏面には鏡が固着されているから、上記分別の見地からその鏡を外すことが必要であるが、その鏡は容易に外すことは出来なかった。尚容器本体と蓋体とは従来金属製ピンで枢着されていたが、該枢着も合成樹脂で行う試みがなされており、このようにすることで鏡を外した蓋体は容器本体と共に合成樹脂として再溶融して利用できる。
【０００５】
【課題を解決するための手段】
第１の手段は、裏面へ鏡を付設した蓋体であって、
該蓋体は合成樹脂製の蓋本体１と，
該蓋本体の裏面へ固着させた合成樹脂製の挟持部材11と、
該挟持部材間に挟持された鏡31とからなり、
蓋体裏返し状態において、蓋本体１は、頂板２外周から起立して大凹部４を囲成する周壁３の後壁部分3aに、上記大凹部へ前面を開口する後面閉塞の小凹部７を穿設して設け、
挟持部材11と鏡31とは、上記大凹部４の底面へ固着させて大凹部内へ嵌合させた台板12の前縁へ、可撓性ヒンジ13を介し枠板14を付設して形成した挟持部材11の上記台板と枠板とで台板上へ載置させた鏡31を挟持させて、
該挟持状態を保持可能に台板12外周部と枠板14外周部との各一部を係合させ、
更に枠板の後方枠部分14a から上記小凹部７内へ、枠板引き上げ用の摘み片16を突設し、
上記周壁後壁部分3aの左右方向中間部上面から、コンパクト容器本体の後壁に枢着させる枢着板５を起立すると共に、
該枢着板前面の左右方向中間部に前面および上面開放の凹み部5aを設け、
上記小凹部７後端を上記凹み部5aの前面下端まで穿設している。
【０００６】
【課題を解決するための手段】
第１の手段として裏面へ鏡を付設した蓋体であって、該蓋体は合成樹脂製の蓋本体１と，該蓋本体の裏面へ固着させた合成樹脂製の挟持部材11と、該挟持部材間に挟持された鏡31とからなり、
蓋体裏返し状態において、
蓋本体１は、頂板２外周から起立して大凹部４を囲成する周壁３の後壁部分3aに、上記大凹部へ前面を開口する後面閉塞の小凹部７を穿設して設け、
挟持部材11と鏡31とは、上記大凹部４の底面へ固着させて大凹部内へ嵌合させた台板12の前縁へ、可撓性ヒンジ13を介し枠板14を付設して形成した挟持部材11の上記台板と枠板とで台板上へ載置させた鏡31を挟持させて、該挟持状態を保持可能に台板12外周部と枠板14外周部との各一部を係合させ、更に枠板の後方枠部分14a から上記小凹部７内へ、枠板引き上げ用の摘み片16を突設した。
【０００７】
第２の手段として、上記第１の手段を有すると共に上記周壁後壁部分3aの左右方向中間部上面から、コンパクト容器本体の後壁に枢着させる枢着板５を起立すると共に、該枢着板前面の左右方向中間部に前面および上面開放の凹み部5aを設け、
上記小凹部７後端を上記凹み部5aの前面下端まで穿設した。
【０００８】
【発明の実施の形態】
本発明に関するコンパクト容器の蓋体は、合成樹脂製の蓋本体１と、該蓋本体の裏面へ固着させた合成樹脂製の挟持部材11と、該挟持部材間に挟持された鏡31とからなる。
【０００９】
説明の便宜上蓋体を裏返しにした状態で説明する。
【００１０】
蓋本体１は図３が示すように頂板２外周から周壁３を起立して、該周壁により大凹部４を囲成する。その周壁後壁部分3a上面の左右方向中間部からはコンパクト容器本体の後壁へ枢着させる枢着板５を起立しており、又周壁前壁部分3b上面の左右方向中間部からはコンパクト容器本体の前壁へ係合させるためのフック６を起立する。これ等枢着板５とフック６とは他の構造に代えてもよく、要するにコンパクト容器本体の後壁に枢着させて容器本体上面の開口を開閉でき、又その閉塞状態において容器本体前壁へ前部を係合させて閉塞可能に設けてあればよい。
【００１１】
上記枢着板５は、その前面の左右方向中間部に前面および上面開放の凹み部5aを設けており、又周壁後壁部分3aには上記大凹部４に前面を開口し、かつ後端を上記凹み部5aの前面下端まで穿設した小凹部７を穿設している。
【００１２】
挟持部材11は、図２が示すように既述蓋本体大凹部４の底面へ固着させて大凹部４内へ嵌合させた台板12の前縁へ、図３が示すように可撓性ヒンジ13を介し枠板14を付設したもので、図示例においては台板12外周から係合短壁15を起立し、該係合短壁前壁部分15b の左右方向中間を切欠きして、該切欠き部分の前縁から可撓性ヒンジ13を突設し、該可撓性ヒンジ先端を枠板14の前方枠部分14b に連結し、その可撓性ヒンジ13を中心とする回動により枠板外周部が上記係合短壁15上面へ載置され、その係合短壁15内へ予め鏡31を嵌合させておくことで、枠板14の内周部が鏡の外周部上面へ載置されて上記台板の外周部と枠板内周部とで鏡外周部を挟持するよう設けている。
【００１３】
枠板14の後枠部分14a からは摘み片16を突設しており、該摘み片は、枠板回動により台板12とで鏡を挟持させたとき既述小凹部７内へ、図１が示すようにその外方へ摘み用の間隙をおいて位置するよう設ける。上記台板12と枠板14とは、各外周一部が係合して鏡挟持状態を保持可能に設ける。図示例では係合短壁15の左右側壁部分外面に係合突子17付きの凹部18を設け、又枠板の左右枠部分14c,14c から上記凹部内へ嵌合し、かつ係合突子17へ係合するフック状突部19,19 を突設している。
【００１４】
又図２が示すように上記摘み片16からもフック状突部20を垂下させて係合短壁の後壁部分15a 後面へ横設した係合突条21下面へ係合するよう設けている。
【００１５】
但し上記係合短壁15は必しも必要とせず、台板12および枠板14の各外面からそれぞれフックを突設してこれ等両フックを係合させる等することが出来る。この場合フックを有しない側に位置する鏡外面は、蓋本体周壁の内壁面へ接するよう設けて鏡の摺動を防止させるとよい。
【００１６】
既述大凹部４底面に対する挟持部材の台板12の固着は、公知の両面テープ22で行うとよいが、接着剤等で固着させても差支えない。
【００１７】
上記構成において、蓋体廃棄時における鏡取外しの際は、図２が示す裏返し状態から摘み片16を引上げ、フック状突部20等を外し、可撓性ヒンジ13を中心として枠板14を開き、該状態から蓋体を正立状態へ戻すことで鏡を外すことが出来る。その後、蓋本体１と挟持部材11とを共に廃棄する。
【００１８】
【発明の効果】
本発明は既述構成とするもので、挟持部材11は、台板12前縁へ可撓性ヒンジ13を介して枠板14を付設して形成し、それ等台板と枠板との間に鏡を挟持させ、かつ該挟持状態を保持可能に台板と枠板とを係合させ、又台板12を蓋本体の大凹部４底面へ固着させると共に蓋本体の周壁後壁部分に穿設した後面閉塞の小凹部７内へ枠板後方枠部分14a から突出する摘み片16を挿入させたから、又その摘み片により上記枠板を開き、鏡を取外し可能としたから、鏡付き合成樹脂製蓋体の分別が容易であり、摘み片16は小凹部７内へ突設するから該摘み片が邪魔となることがなく、その摘み片を挿入させる小凹部７は蓋本体周壁の後方壁部3aに設けるから、コンパクト容器使用時においてその摘み片16が鏡使用時において邪魔となることもない。
【００１９】
また請求項１記載のように蓋本体周壁の後壁部分から枢着板５を突出し、その枢着板前面の左右方向中間に前面および上面開放の凹み部5aを形成して小凹部７後端を、その凹み部の前面下端まで穿設することで、枢着板付き蓋本体の周壁後壁部分に穿設する小凹部７を蓋本体の大きさに比して大きく設けることが出来、よって該小凹部内へ突出させる摘み片16を持ち易くすることが出来る。
【図面の簡単な説明】
【図１】  本発明の鏡付き蓋体を裏返し状態でみた斜視図である。
【図２】  図１蓋体の断面図である。
【図３】  図１蓋体の分解斜視図である。
【符号の説明】
１…蓋本体                ４…大凹部
７…小凹部                11…挟持部材
12…台板                  13…可撓性ヒンジ
14…枠板                  16…摘み片
31…鏡
【図１】
0003942757.tif 000002
【図２】
0003942757.tif 000003
【図３】
0003942757.tif 000004